(57)【要約】【課題】使い勝手がよい保温マットの提供。【解決手段】保温マット１は、マット本体１ｆの第１長辺と第２長辺に設けられた第１の被連結部材３６ｆと、マットカバー１ｓの第３長辺１６と第４長辺１７に設けられた第２の被連結部材３６ｓと、第１の連結部材３７ｆと、第２の連結部材３７ｓと、を備える。第１の連結部材３７ｆは、第１の被連結部材３６ｆと第２の被連結部材３６を第１短辺１３・第３短辺１８から第２短辺１４・第４短辺１９に向かう方向へ摺動して連結する。第２の連結部材３７ｓは、第１の被連結部材３６ｆと第２の被連結部材３６を第２短辺１４・第４短辺１９から第１短辺１３・第３短辺１８に向かう方向へ摺動して連結する。【選択図】図１
0003177551.tif 000002
【実用新案登録請求の範囲】
【請求項１】
内部にヒーター部を備える略矩形面状のマット本体と、
該マット本体と対向し、前記マット本体と略同一の大きさである略矩形面状のマットカバーと、
前記マット本体と前記マットカバーの対向する一方の短辺をその両端部に亘って互いに縫い合わせて結合し、前記両端部から前記マット本体と前記マットカバーの対向する長辺の３分の１以下の領域を互いに縫い合わせて結合した結合部と、
前記マット本体の各長辺に前記結合部の各端部から連続して他方の短辺側に亘って設けられた第１の被連結部材と、前記マットカバーの各長辺に前記結合部の各端部から連続して他方の短辺側に亘って設けられた第２の被連結部材と、前記第１の被連結部材と前記第２の被連結部材を一方の短辺から他方の短辺に向かう方向へ摺動して連結するとともに、前記第１の被連結部材と前記第２の被連結部材の連結を他方の短辺から一方の短辺に向かう方向へ摺動して解除する第１の連結部材と、前記第１の連結部材と他方の短辺との間に配置されており、前記第１の被連結部材と前記第２の被連結部材を他方の短辺から一方の短辺に向かう方向へ摺動して連結するとともに、前記第１の被連結部材と前記第２の被連結部材の連結を一方の短辺から他方の短辺に向かう方向へ摺動して解除する第２の連結部材と、を有する連結部と、
を備えており、
前記他方の短辺に最も近い前記第１の被連結部材及び前記第２の被連結部材の端部に前記第２の連結部材を位置させたときに、前記端部同士を相互に分離することが可能であることを特徴とする保温マット。
【請求項２】
前記結合部が形成される前記マット本体と前記マットカバーの角部は、それぞれ円弧状であることを特徴とする請求項１に記載の保温マット。
【請求項３】
前記結合部は、各長辺に設けられた長さが略同一であり、
前記第１の被連結部材と前記第２の被連結部材とは、長さが略同一であること
を特徴とする請求項１又は２に記載の保温マット。
【請求項４】
前記第１の被連結部材は、前記マット本体の各長辺の前記結合部を除いた略すべての領域に亘って設けられ、
前記第２の被連結部材は、前記マットカバーの各長辺の前記結合部を除いた略すべての領域に亘って設けられる
ことを特徴とする請求項１〜３のいずれか１項に記載の保温マット。
【請求項５】
前記ヒーター部は、前記マット本体の内部の各長辺に設けられた前記結合部によって規定される領域内に少なくとも設けられていることを特徴とする請求項１〜４のいずれか１項に記載の保温マット。
【請求項６】
前記第１の連結部材及び前記第２の連結部材は、それぞれ、引手を有し、該引手は、前記マット本体及び前記マットカバーの外部及び内部に位置することが可能であることを特徴とする請求項１〜５のいずれか１項に記載の保温マット。
【考案の詳細な説明】
【技術分野】
【０００１】
本考案は、身体を保温する保温マットに関する。
【背景技術】
【０００２】
身体を保温する保温マットは、内部にヒーターが内蔵されており、保温マット上に使用者が身体を置くことにより、暖をとることができる。特許文献１には、略矩形面状のマット本体とマットカバーとを備え、マット本体とマットカバーの一方の長辺と一方の短辺とを互いに縫い合わせてＬ字状に結合し、マット本体とマットカバーの他方の長辺においてダブルジップファスナーにより、中央側からマット本体とマットカバーとの連結が解除されるように構成された保温マットが開示されている。
【先行技術文献】
【特許文献】
【０００３】
【特許文献１】特開２０１２−０１１１４１号公報
【考案の概要】
【考案が解決しようとする課題】
【０００４】
特許文献１に開示の保温マットは、マット本体とマットカバーの一方の長辺が互いに縫い合わされているため、一方の長辺側から使用者が身体を挿入することができない。また、一方の長辺に加え、一方の短辺が互いに縫い合わされてＬ字状に結合されているため、最大でも、Ｌ字状に結合されたＬ字状結合部の一端と他端を頂点とする対角線で区切られた領域しか開くことができない。このように、特許文献１に開示の保温マットは、保温マットの使い方に制限があり、使い勝手に問題がある。
【０００５】
そこで、本考案は、使い勝手がよい保温マットを提供することを目的とする。
【課題を解決するための手段】
【０００６】
本考案の保温マットは、内部にヒーター部を備える略矩形面状のマット本体と、該マット本体と対向し、前記マット本体と略同一の大きさである略矩形面状のマットカバーと、前記マット本体と前記マットカバーの対向する一方の短辺をその両端部に亘って互いに縫い合わせて結合し、前記両端部から前記マット本体と前記マットカバーの対向する長辺の３分の１以下の領域を互いに縫い合わせて結合した結合部と、前記マット本体の各長辺に前記結合部の各端部から連続して他方の短辺側に亘って設けられた第１の被連結部材と、前記マットカバーの各長辺に前記結合部の各端部から連続して他方の短辺側に亘って設けられた第２の被連結部材と、前記第１の被連結部材と前記第２の被連結部材を一方の短辺から他方の短辺に向かう方向へ摺動して連結するとともに、前記第１の被連結部材と前記第２の被連結部材の連結を他方の短辺から一方の短辺に向かう方向へ摺動して解除する第１の連結部材と、前記第１の連結部材と他方の短辺との間に配置されており、前記第１の被連結部材と前記第２の被連結部材を他方の短辺から一方の短辺に向かう方向へ摺動して連結するとともに、前記第１の被連結部材と前記第２の被連結部材の連結を一方の短辺から他方の短辺に向かう方向へ摺動して解除する第２の連結部材と、を有する連結部と、を備えており、前記他方の短辺に最も近い前記第１の被連結部材及び前記第２の被連結部材の端部に前記第２の連結部材を位置させたときに、前記端部同士を相互に分離することが可能である。
【０００７】
本考案によると、第１の被連結部材、第２の被連結部材、第１の連結部材、第２の連結部材により、例えば、それぞれの長辺において、第１の連結部材と第２の連結部材とを両端とした使用者が身体を挿入可能な開口を任意の位置に設けることができるので、２人の使用者によりそれぞれの長辺側から利用することができる。また、第１の被連結部材と第２の被連結部材を結合部の端部まで連結すれば、結合部の端部近傍に開口が形成されず、保温性が高くなる。また、第１の被連結部材及び第２の被連結部材の他方の短辺に最も近い端部同士を相互に分離すれば、マットカバーとマット本体との連結を、片側又は両側の長辺において、他方の短辺側から結合部に至るまで解除することができるので、マットカバーの状態変更に関する自由度が高くなる。また、各長辺において第１の被連結部材及び第２の被連結部材の他方の短辺に最も近い端部同士を相互に分離して使用する場合に、袋状となった部分が３分の１以下と短いので、使用者がマットカバーの状態をより高い自由度で変更することが可能となる。また、結合部により袋状となった部分に使用者が足を挿入した場合、足元が保温される。このように、使用者によりさまざまな使い方ができるため、使い勝手がよい。
【０００８】
また、前記結合部が形成される前記マット本体と前記マットカバーの角部は、それぞれ円弧状であることが好ましい。
【０００９】
角部が円弧状である場合、被連結部材を設けることは縫製上困難であり、また、被連結部材を設けるとその部分が固くなり、保温マットの使い勝手が悪くなるが、被連結部材を設けずに縫い合わせることにより、製造上の問題が少なくなり、また、使い勝手が悪くなることを防止できる。
【００１０】
また、前記結合部は、各長辺に設けられた長さが略同一であり、前記第１の被連結部材と前記第２の被連結部材とは、長さが略同一であることが好ましい。
【００１１】
これによると、各長辺において、結合部、及び、第１の被連結部材と第２の被連結部材が同様に設けられているから、意匠性に富み、また、各長辺において同じ位置に開口を調整することができる等、使い勝手もよい。
【００１２】
また、前記第１の被連結部材は、前記マット本体の各長辺の前記結合部を除いた略すべての領域に亘って設けられ、前記第２の被連結部材は、前記マットカバーの各長辺の前記結合部を除いた略すべての領域に亘って設けられることが好ましい。
【００１３】
これによると、各長辺において、最大限に連結部の連結及び解除が可能な範囲を大きくすることができ、使い勝手がさらに向上する。
【００１４】
また、前記ヒーター部は、前記マット本体の内部の各長辺に設けられた前記結合部によって規定される領域内に少なくとも設けられていることが好ましい。
【００１５】
これによると、結合部により袋状となった部分に少なくともヒーター部が設けられているから、使用者がこの袋状となった部分に足を挿入した場合に、より足元の暖かさが確保される。
【００１６】
また、前記第１の連結部材及び前記第２の連結部材は、それぞれ、引手を有し、該引手は、前記マット本体及び前記マットカバーの外部及び内部に位置することが可能であることが好ましい。
【００１７】
これによると、使用者が、他方の短辺側から身体を挿入して保温マットの中に入った後、保温マットの内部からも引手を操作可能であるから、さらに使い勝手が向上する。
【考案の効果】
【００１８】
本考案によると、第１の被連結部材、第２の被連結部材、第１の連結部材、第２の連結部材により、例えば、それぞれの長辺において、第１の連結部材と第２の連結部材とを両端とした使用者が身体を挿入可能な開口を任意の位置に設けることができるので、２人の使用者によりそれぞれの長辺側から利用することができる。また、第１の被連結部材と第２の被連結部材を結合部の端部まで連結すれば、結合部の端部近傍に開口が形成されず、保温性が高くなる。また、第１の被連結部材及び第２の被連結部材の他方の短辺に最も近い端部同士を相互に分離すれば、マットカバーとマット本体との連結を、片側又は両側の長辺において、他方の短辺側から結合部に至るまで解除することができるので、マットカバーの状態変更に関する自由度が高くなる。また、各長辺において第１の被連結部材及び第２の被連結部材の他方の短辺に最も近い端部同士を相互に分離して使用する場合に、袋状となった部分が３分の１以下と短いので、使用者がマットカバーの状態をより高い自由度で変更することが可能となる。また、結合部により袋状となった部分に使用者が足を挿入した場合、足元が保温される。このように、使用者によりさまざまな使い方ができるため、使い勝手がよい。
【図面の簡単な説明】
【００１９】
【図１】本考案の実施形態に係る保温マットを分解して示した図である。
【図２】本考案の実施形態に係る保温マットの使用状態の一例を示した図である。
【図３】本考案の実施形態に係る保温マットの使用状態の一例を示した図である。
【図４】本考案の実施形態に係る保温マットの使用状態の一例を示した図である。
【図５】本考案の実施形態に係る保温マットの使用状態の一例を示した図である。
【図６】本考案の実施形態に係る保温マットの使用状態の一例を示した図である。
【図７】本考案の実施形態に係る保温マットの使用状態の一例を示した図である。
【図８】本考案の実施形態に係る保温マットの使用状態の一例を示した図である。
【図９】本考案の実施形態に係る保温マットの使用状態の一例を示した図である。
【考案を実施するための形態】
【００２０】
以下、本考案の好適な実施形態について、図面を参照しつつ説明する。
【００２１】
図１は、本考案の実施形態に係る保温マット１を分解して示した図である。保温マット１は、図１に示すように、マット本体１ｆと、マットカバー１ｓと、結合部３１と、連結部３５と、ヒーター部４１と、を備える。
【００２２】
マット本体１ｆは、略矩形面上に形成されている。具体的には、第１長辺１１と、第１長辺１１に対向する第２長辺１２と、第１長辺１１および第２長辺１２の間で構成される第１短辺１３と、第１長辺１１および第２長辺１２の間で構成され第１短辺１３に対向する第２短辺１４とにより、略矩形面上に形成されている。大きさとしては、畳一枚程度の広さがよく、長さ方向ＤＬの長さ（寸法）が例えば１５０〜２００ｃｍ、好ましくは、１７０〜１８０ｃｍ、幅方向ＤＷの幅（寸法）が例えば７０〜１００ｃｍ、好ましくは、８０〜９０ｃｍ程度とされている。マット本体１ｆは、例えばアクリル繊維で形成され、通常は敷布として利用される。なお、マット本体１ｆの裏面には、図示しないが、滑り止め加工が施されている。
【００２３】
マットカバー１ｓは、マット本体１ｆと対向し、マット本体１ｆと略同一の大きさで略矩形面上に形成されている。具体的には、第１長辺１１に対向する第３長辺１６と、第２長辺１２に対向する第４長辺１７と、第１短辺１３に対向する第３短辺１８と、第２短辺１４に対向する第４短辺１９とにより、略矩形面上に形成されている。マットカバー１ｓは、例えば綿で形成され、通常は掛布として利用される。
【００２４】
マット本体１ｆとマットカバー１ｓとにより、使用者の身体を保温可能な保温空間が形成される。
【００２５】
結合部３１は、マット本体１ｆとマットカバー１ｓの対向する一方の短辺（第１短辺１３と第３短辺１８）をその両端部に亘って互いに縫い合わせて結合し、両端部からマット本体１ｆとマットカバー１ｓの対向する長辺（第１長辺１１と第３長辺１６、第２長辺１２と第４長辺１７）の一部を縫い止め位置である端部１１ｔ、１２ｔ（端部１６ｔ、１７ｔ）までに亘って互いに縫い合わせて結合し、略コ字状となっている。すなわち、保温マット１においては、第１短辺１３・第３短辺１８側で、略コ字状の結合部３１により袋状となった部分が構成される。結合部３１が形成されるマット本体１ｆの角部２２ｆ、２３ｆ、マットカバー１ｓの角部２２ｓ、２３ｓは、それぞれ円弧状となっている。各長辺（第１長辺１１と第３長辺１６、第２長辺１２と第４長辺１７）に設けられた結合部３１の長さ（約２０ｃｍ）は、略同一である。そして、本実施形態においては、結合部３１は、各長辺（第１長辺１１と第３長辺１６、第２長辺１２と第４長辺１７）の約９分の１の領域（約２０ｃｍ）に亘って設けられているが、少なくとも、使用者が略コ字状の部分に足を挿入した場合に、足（少なくともつま先）が覆われる程度に亘って設けられていればよい。ただし、足元の保温性の確保の観点からは、各長辺（第１長辺１１と第３長辺１６、第２長辺１２と第４長辺１７）の３分の１以下の領域に亘って設けられることが好ましい。
【００２６】
連結部３５は、第１の被連結部材３６ｆと、第２の被連結部材３６ｓと、第１の連結部材３７ｆと、第２の連結部材３７ｓと、を有し、第１長辺１１と第３長辺１６、第２長辺１２と第４長辺１７を連結し、また、その連結を解除するものである。なお、図１においては、第１長辺１１と第３長辺１６、第２長辺１２と第４長辺１７に設けられる連結構造は同一で、保温マット１の長辺と平行な中心線を中心に線対称な構造であるため、第２長辺１２と第４長辺１７の構造のみを示し、第１長辺１１と第３長辺１６の構造を省略している。第１の被連結部材３６ｆは、マット本体１ｆの各長辺（第１長辺１１と第２長辺１２）に結合部３１の各端部１１ｔ、１２ｔから連続して他方の短辺（第２短辺１４・第４短辺１９）側に亘って設けられている。第２の被連結部材３６ｓは、マットカバー１ｓの各長辺（第３長辺１６と第４長辺１７）に結合部３１の各端部１６ｔ、１７ｔから連続して他方の短辺（第２短辺１４・第４短辺１９）側に亘って設けられている。第１の被連結部材３６ｆと第２の被連結部材３６ｓとは、長さが略同一であり、かつ、各長辺（第１長辺１１と第３長辺１６、第２長辺１２と第４長辺１７）に設けられる位置が略同一となっている。本実施形態においては、各長辺（第１長辺１１と第３長辺１６、第２長辺１２と第４長辺１７）における結合部３１を除いた略すべての領域に亘って第１の被連結部材３６ｆ、第２の被連結部材３６ｓを設けている。
【００２７】
第１の連結部材３７ｆは、第１の被連結部材３６ｆと第２の被連結部材３６ｓを一方の短辺（第１短辺１３と第３短辺１８）から他方の短辺（第２短辺１４と第４短辺１９）に向かう方向へ摺動して連結するとともに、第１の被連結部材３６ｆと第２の被連結部材３６ｓの連結を他方の短辺（第２短辺１４と第４短辺１９）から一方の短辺（第１短辺１３と第３短辺１８）に向かう方向へ摺動して解除する。第２の連結部材３７ｓは、第１の連結部材３７ｆと他方の短辺（第２短辺１４と第４短辺１９）との間に配置されており、第１の被連結部材３６ｆと第２の被連結部材３６ｓを他方の短辺（第２短辺１４と第４短辺１９）から一方の短辺（第１短辺１３と第３短辺１８）に向かう方向へ摺動して連結するとともに、第１の被連結部材３６ｆと第２の被連結部材３６ｓの連結を一方の短辺（第１短辺１３と第３短辺１８）から他方の短辺（第２短辺１４と第４短辺１９）に向かう方向へ摺動して解除する。また、第１の連結部材３７ｆ、第２の連結部材３７ｓは、それぞれ、引手３７ａ、３７ｂを有し、引手３７ａ、３７ｂは、マット本体１ｆ及びマットカバー１ｓの外部及び内部に位置することが可能となっている。具体的には、引手３７ａ、３７ｂは、図示しないレールによって水平方向に回転可能に構成されているため、図１に示すマット本体１ｆ及びマットカバー１ｓの外部にある状態から水平方向に回転して、マット本体１ｆ及びマットカバー１ｓの内部に位置する。第１の被連結部材３６ｆ、第２の被連結部材３６ｓは、いわゆるスライドファスナーにおけるエレメントであって、第１の連結部材３７ｆ、第２の連結部材３７ｓは、いわゆるスライドファスナーにおけるスライダーであって、第１の被連結部材３６ｆ、第２の被連結部材３６ｓ、第１の連結部材３７ｆ、第２の連結部材３７ｓは、いわゆるダブルジップファスナーを構成する。
【００２８】
本実施形態において、他方の短辺（第２短辺１４・第４短辺１９）に最も近い第１の被連結部材３６ｆ及び第２の被連結部材３６ｓの端部（端部３８ｆ、３８ｓ）に第２の連結部材３７ｓを位置させたときに、端部３８ｆ、３８ｓ同士を相互に分離することが可能となっている。分離後において、第２の連結部材３７ｓは端部３８ｆが設けられた第１の被連結部材３６ｆ上に位置する。
【００２９】
ヒーター部４１は、マット本体１ｆの内部に設けられており、少なくとも、マット本体１ｆの内部の各長辺（第１長辺１１と第３長辺１６、第２長辺１２と第４長辺１７）に設けられた結合部３１によって規定される略コ字状の領域内に設けられている。ヒーター部４１としては、通常の電気カーペットなどに適用される抵抗によるヒーターを適用することができる。ヒーター部４１には、マット本体１ｆに設けられたコネクタ４２を介して電力が供給される。コネクタ４２は、第２長辺１２において、第１短辺１３側に第２長辺１２に沿わせて配置されている。コネクタ４２には、保温マット１を操作するためのコントローラー４３が接続されている。
【００３０】
使用者は、第１の連結部材３７ｆ、第２の連結部材３７ｓを操作することにより、第１長辺１１と第３長辺１６の連結および連結の解除、第２長辺１２と第４長辺１７の連結および連結の解除を自由に行うことができる。すなわち、結合部３１を除く第１長辺１１及び第３長辺１６の任意の位置並びに第２長辺１２及び第４長辺１７の任意の位置に、２つの連結部材３７ｆ、３７ｓを両端とした使用者が身体を挿入可能な開口を設けることができる。
【００３１】
図２は、第１長辺１１と第３長辺１６とは完全に連結されており、第２長辺１２と第４長辺１７の中央部分の連結が解除された状態を示している。第２長辺１２・第４長辺１７側に使用者が挿入可能な開口が設けられているから、使用者ＨＭは、図３、図４に示すように、この開口に身体を挿入して下半身を温めるように保温マット１を利用することが可能である。
【００３２】
図５は、第１長辺１１と第３長辺１６、第２長辺１２と第４長辺１７の第２短辺１４・第４短辺１９側で第１の被連結部材３６ｆ及び第２の被連結部材３６ｓの端部３８ｆ、３８ｓ同士を相互に分離した状態を示している。このとき、第２短辺１４・第４短辺１９側が広く開放されていることから、使用者ＨＭは、図６に示すように、第２短辺１４・第４短辺１９側から身体を挿入して保温マット１を利用することが可能である。
【００３３】
図７は、第１長辺１１と第３長辺１６、第２長辺１２と第４長辺１７の連結が解除された状態を示している。使用者ＨＭは、この状態の保温マット１に身体を挿入した後、第１長辺１１と第３長辺１６、第２長辺１２と第４長辺１７を完全に連結することにより、図８に示すように、全身を温めるように保温マット１を利用することが可能である。また、第１長辺１１と第３長辺１６、第２長辺１２と第４長辺１７が完全に連結された状態では、図９に示すように、使用者ＨＭは、保温マット１上に身体をおいて通常のマットとして使用することも可能である。すなわち、使用者ＨＭは、マット本体１ｆにマットカバー１ｓがそのまま重畳された状態で保温マット１を使用することができる。
【００３４】
以上説明したように、本考案の実施形態に係る保温マット１は、内部にヒーター部４１を備える略矩形面状のマット本体１ｆと、マット本体１ｆと対向し、マット本体１ｆと略同一の大きさである略矩形面状のマットカバー１ｓと、マット本体１ｆとマットカバー１ｓの対向する一方の短辺（第１短辺１３と第３短辺１８）をその両端部に亘って互いに縫い合わせて結合し、両端部からマット本体１ｆとマットカバー１ｓの対向する長辺（第１長辺１１と第３長辺１６、第２長辺１２と第４長辺１７）の３分の１以下の領域を互いに縫い合わせて結合した結合部３１と、マット本体の各長辺（第１長辺１１と第２長辺１２）に結合部３１の各端部（端部１１ｔ、１２ｔ）から連続して他方の短辺（第２短辺１４・第４短辺１９）側に亘って設けられた第１の被連結部材３６ｆと、マットカバーの各長辺（第３長辺１６と第４長辺１７）に結合部３１の各端部（端部１６ｔ、１７ｔ）から連続して他方の短辺（第２短辺１４・第４短辺１９）側に亘って設けられた第２の被連結部材３６ｓと、第１の被連結部材３６ｆと第２の被連結部材３６ｓを一方の短辺（第１短辺１３と第３短辺１８）から他方の短辺（第２短辺１４と第４短辺１９）に向かう方向へ摺動して連結するとともに、第１の被連結部材３６ｆと第２の被連結部材３６ｓの連結を他方の短辺（第２短辺１４と第４短辺１９）から一方の短辺（第１短辺１３と第３短辺１８）に向かう方向へ摺動して解除する第１の連結部材３７ｆと、第１の連結部材３７ｆと他方の短辺（第２短辺１４と第４短辺１９）との間に配置されており、第１の被連結部材３６ｆと第２の被連結部材３６ｓを他方の短辺（第２短辺１４と第４短辺１９）から一方の短辺（第１短辺１３と第３短辺１８）に向かう方向へ摺動して連結するとともに、第１の被連結部材３６ｆと第２の被連結部材３６ｓの連結を一方の短辺（第１短辺１３と第３短辺１８）から他方の短辺（第２短辺１４と第４短辺１９）に向かう方向へ摺動して解除する第２の連結部材３７ｓと、を有する連結部３５と、を備えており、他方の短辺（第２短辺１４・第４短辺１９）に最も近い第１の被連結部材３６ｆ及び第２の被連結部材３６ｓの端部（端部３８ｆ、３８ｓ）に、第２の連結部材３７ｓを位置させたときに、端部（端部３８ｆ、３８ｓ）同士を相互に分離することが可能である。
【００３５】
このように構成された本実施形態に係る保温マット１によると、それぞれの長辺（第１長辺１１と第３長辺１６、第２長辺１２と第４長辺１７）において、第１の連結部材３７ｆと第２の連結部材３７ｓとを両端とした使用者が身体を挿入可能な開口を任意の位置に設けることができるので、２人の使用者によりそれぞれの長辺側（第１長辺１１と第３長辺１６、第２長辺１２と第４長辺１７）から利用することができる。また、第１の被連結部材３６ｆと第２の被連結部材３６ｓを結合部３１の端部（端部１１ｔ、１２ｔ、１３ｔ、１６ｔ）まで連結すれば、結合部３１の端部（端部１１ｔ、１２ｔ、１３ｔ、１６ｔ）近傍に開口が形成されず、保温性が高くなる。また、図５に示したように、第１の被連結部材３６ｆ及び第２の被連結部材３６ｓの他方の短辺（第２短辺１４と第４短辺１９）に最も近い端部（端部３８ｆ、３８ｓ）同士を相互に分離すれば、マットカバー１ｓとマット本体１ｆとの連結を、片側又は両側の長辺において、他方の短辺（第２短辺１４と第４短辺１９）から結合部３１に至るまで解除することができるので、マットカバー１ｓの状態変更に関する自由度が高くなる。また、各長辺において第１の被連結部材３６ｆ及び第２の被連結部材３６ｓの他方の短辺に最も近い端部（端部３８ｆ、３８ｓ）同士を相互に分離して使用する場合に、袋状となった部分が３分の１以下と短いので、使用者がマットカバー１ｓの状態をより高い自由度で変更することが可能となる。また、結合部３１により袋状となった部分に使用者が足を挿入した場合、足元が保温される。このように、使用者によりさまざまな使い方ができるため、使い勝手がよい。なお、袋状となった部分をわずかでも残しておくことで、この袋状となった部分に足を挿入した場合に、足元の暖かさが確保される。
【００３６】
また、結合部３１が形成されるマット本体１ｆの角部２２ｆ、２３ｆ、マットカバー１ｓの角部２２ｓ、２３ｓは、それぞれ円弧状である。角部２２ｆ、２３ｆ、２２ｓ、２３ｓが円弧状である場合、第１の被連結部材３６ｆ、第２の被連結部材３６ｓを設けることは縫製上困難であり、また、第１の被連結部材３６ｆ、第２の被連結部材３６ｓを設けるとその部分が固くなり、保温マット１の使い勝手が悪くなるが、第１の被連結部材３６ｆ、第２の被連結部材３６ｓを設けずに縫い合わせることにより、製造上の問題が少なくなり、また、使い勝手が悪くなることを防止できる。
【００３７】
また、結合部３１は、各長辺（第１長辺１１と第３長辺１６、第２長辺１２と第４長辺１７）に設けられた長さが略同一であり、第１の被連結部材３６ｆと第２の被連結部材３６ｓとは、長さが略同一である。このように、各長辺（第１長辺１１と第３長辺１６、第２長辺１２と第４長辺１７）において、結合部３１、及び、第１の被連結部材３６ｆと第２の被連結部材３６ｓが同様に設けられているから、意匠性に富み、また、各長辺（第１長辺１１と第３長辺１６、第２長辺１２と第４長辺１７）において同じ位置に開口を調整することができる等、使い勝手もよい。
【００３８】
また、第１の被連結部材３６ｆは、マット本体１ｆの各長辺（第１長辺１１と第２長辺１２）の結合部３１を除いた略すべての領域に亘って設けられ、第２の被連結部材３６ｓは、マットカバー１ｓの各長辺（第３長辺１６と第４長辺１７）の結合部３１を除いた略すべての領域に亘って設けられているから、各長辺において最大限に、連結部３５の連結及び解除が可能な範囲を大きくすることができ、使い勝手がさらに向上する。
【００３９】
また、ヒーター部４１は、マット本体１ｆの内部の各長辺（第１長辺１１と第３長辺１１６、第２長辺１２と第４長辺１７）に設けられた結合部３１によって規定される領域内に少なくとも設けられている。このように、結合部３１により袋状となった部分に少なくともヒーター部４１が設けられているから、使用者がこの袋状となった部分に足を挿入した場合に、より足元の暖かさが確保される。
【００４０】
また、第１の連結部材３７ｆ及び第２の連結部材３７ｓは、それぞれ、引手３７ａ、３７ｂを有し、引手３７ａ、３７ｂは、マット本体１ｆ及びマットカバー１ｓの外部及び内部に位置することが可能であるから、使用者が、一方の短辺（第２短辺１４、第４短辺１９）側から身体を挿入して保温マット１の中に入った後、保温マット１の内部からも引手を操作可能であるため、さらに使い勝手が向上する。例えば、使用者ＨＭは、図６に示したように、第２短辺１４・第４短辺１９側から身体を挿入した後、図８に示したように全身を温めるように、第１長辺１１と第３長辺１６、第２長辺１２と第４長辺１７を完全に連結したり、温度調節のために、連結を解除したりすることが容易にできる。
【００４１】
以上、本考案の好適な実施形態について説明したが、本考案を適用可能な形態は、上述の実施形態には限られるものではなく、以下に例示するように、本考案の趣旨を逸脱しない範囲で適宜変更を加えることが可能である。
【００４２】
本実施形態では、結合部３１が形成されるマット本体１ｆの角部２２ｆ、２３ｆ、マットカバー１ｓの角部２２ｓ、２３ｓは、それぞれ円弧状としたが、そのほかの曲線形状又は直角形状でもよい。
【００４３】
また、本実施形態では、各長辺（第１長辺１１と第３長辺１６、第２長辺１２と第４長辺１７）に設けられた結合部３１の長さを略同一としたが、長さが異なっていてもよい。
【００４４】
また、本実施形態では、第１の被連結部材３６ｆと第２の被連結部材３６ｓとは、長さを略同一としたが、長さが異なっていてもよい。また、第１の被連結部材３６ｆ、第２の被連結部材３６ｓは、各長辺（第１長辺１１と第３長辺１６、第２長辺１２と第４長辺１７）における結合部３１を除いた略すべての領域に亘って設けられているが、一部の領域であってもよい。この場合、少なくとも使用者が身体を挿入可能な開口を形成可能な程度に、第１の被連結部材３６ｆ、第２の被連結部材３６ｓが、各長辺（第１長辺１１と第３長辺１６、第２長辺１２と第４長辺１７）に設けられることが好ましい。
【００４５】
また、本実施形態では、第１の被連結部材３６ｆを第１長辺１１と第３長辺１６に設け、また、第２の被連結部材３６ｓを第２長辺１２と第４長辺１７とに設けたが、第１の被連結部材３６ｆ及び第２の被連結部材３６ｓを第２短辺１４及び第４短辺１９まで延長して設け、第２短辺１４と第４短辺１９とが、第１の連結部材３７ｆ及び第２の連結部材３７ｓにより、連結及び連結の解除がなされるようにしてもよい。
【００４６】
また、本実施形態では、ヒーター部４１は、マット本体１ｆの内部の各長辺（第１長辺１１と第３長辺１６、第２長辺１２と第４長辺１７）に設けられた結合部３１によって規定される領域内に設けられていたが、結合部３１によって規定される領域内に設けられていなくてもよい。
【００４７】
また、本実施形態においては、第１の連結部材３７ｆ、第２の連結部材３７ｓは、引手がレールによって水平方向に回転する、いわゆるリバーシブルスライダーであったが、引手が２個設けられたいわゆる両面スライダーを用い、一方の引手をマット本体１ｆ及びマットカバー１ｓの外部に位置させ、他方の引手をマット本体１ｆ及びマットカバー１ｓの内部に位置させるようにしてもよい。
【００４８】
また、本実施形態においては、第１の連結部材３７ｆ、第２の連結部材３７ｓは、マット本体１ｆ及びマットカバー１ｓの外部及び内部に位置することが可能であったが、設けられた１個の引手が回転しない、いわゆる片面スライダーを用いて、引手がマット本体１ｆ及びマットカバー１ｓの外部にのみ位置するようにしてもよい。
【００４９】
また、本実施形態では、コネクタ４２を、第２長辺１２において、第１短辺１３側に第２長辺１２に沿わせて配置したが、コネクタ４２の位置は、第２短辺１４側であってもよい。この場合、コネクタ４２が第２長辺１２に沿う位置で第２短辺１４側に配置されるため、第２長辺１２・第４長辺１７側から幅方向ＤＷに沿って身体を挿入したとき、または、第２短辺１４・第４短辺１９側から長さ方向ＤＬに沿って身体を挿入したときのいずれの場合でも、コネクタ４２に接続されたコントローラー４３を操作性の良い位置に配置することができ、便利である。
【符号の説明】
【００５０】
１  保温マット
１ｆ  マット本体
１１  第１長辺（一方の長辺）
１１ｔ  端部
１２  第２長辺（他方の長辺）
１２ｔ  端部
１３  第１短辺（一方の短辺）
１４  第２短辺（他方の短辺）
１ｓ  マットカバー
１６  第３長辺（一方の長辺）
１６ｔ  端部
１７  第４長辺（他方の長辺）
１７ｔ  端部
１８  第３短辺（一方の短辺）
１９  第４短辺（他方の短辺）
２２ｆ、２２ｓ、２３ｆ、２３ｓ  角部
３１  結合部
３５  連結部
３６ｆ  第１の被連結部材
３６ｓ  第２の被連結部材
３７ｆ  第１の連結部材
３７ａ  引手
３７ｓ  第２の連結部材
３７ｂ  引手
３８ｆ  端部
３８ｓ  端部
４１  ヒーター部
４２  コネクタ
４３  コントローラー
【図１】
0003177551.tif 000003
【図２】
0003177551.tif 000004
【図３】
0003177551.tif 000005
【図４】
0003177551.tif 000006
【図５】
0003177551.tif 000007
【図６】
0003177551.tif 000008
【図７】
0003177551.tif 000009
【図８】
0003177551.tif 000010
【図９】
0003177551.tif 000011